(57)【要約】【課題】本発明は計時シートに関する。さらには、本発明は食品や薬品などの有効期限を簡便に表示することに適用できる軽量で、薄型の計時シートに関する。【解決手段】少なくとも蓄電量を調整できる蓄電部と、計時時間を表示する表示部とを具備する計時シート。蓄電部がコンデンサである上記の計時シート。蓄電部が電気二重層コンデンサである上記の計時シート。表示部が液晶を用いた表示部である上記のいずれかに記載の計時シート。【効果】本発明の方法によれば、従来は困難であった簡便に時間を測定する軽量、薄型の計時シートが得られ、充電量の調整により任意の範囲の時間を計時することが可能になる。【選択図】なし【特許請求の範囲】
【請求項１】
少なくとも蓄電量を調整できる蓄電部と、計時時間を表示する表示部とを具備する計時シート。
【請求項２】
蓄電部がコンデンサである請求項１記載の計時シート。
【請求項３】
蓄電部が電気二重層コンデンサである請求項２記載の計時シート。
【請求項４】
表示部が液晶を用いた表示部である請求項１〜３のいずれかに記載の計時シート。
【請求項５】
請求項１〜４のいずれかに記載の計時シートの少なくとも片面に粘着層を備えた計時シート。
【請求項６】
シートの厚さが０．１〜５ｍｍである請求項１〜５のいずれかに記載の計時シート。
【請求項７】
蓄電部に部分的な充電を行うことで、任意の範囲の時間を測定することができる請求項６記載の計時シート。
【発明の詳細な説明】
【０００１】
【発明の属する技術分野】
本発明は計時シートに関する。さらには、本発明は食品や薬品などの有効期限を簡便に表示することに適用できる軽量で、薄型の計時シートに関する。
【０００２】
【従来の技術】
食品の賞味期限や、チケット等の有効期限を表示することで使用者が残りの使用時間を知ることができるようにする要求が従来から存在した。
特開平４−２７８８０号公報（特許文献１）には染料が染料拡散層に拡散する時間を利用して時間を計る期間経過表示ラベルが開示されているが、染料の拡散現象は温度や湿度の影響を大きく受けるため、使用する環境によって計時結果が大幅に変化してしまうという問題があった。
特開２０００−３３８２７５号公報（特許文献２）にはアルカリもしくは酸を含浸した紙が水蒸気によりイオンを放出し、このイオンが色素を含浸した紙を変色させる現象を利用してインスタント食品の調理時間を測定する方法が開示されている。この方法はインスタント食品の調理時間などの比較的短い時間を測定するには使用ができる可能性があるが、数日から数ヶ月といった長い時間を安定して測定することは困難であった。
また、特開２００１−２２１８７２号公報（特許文献３）には充電された電気二重層コンデンサを抵抗を介して放電させ、その電圧を予め測定しておいた電圧降下と経過時間の関係にもとづいて経過時間を測定する装置が開示されている。この装置によれば比較的精度良く時間を計測することが可能であるが、電圧を測定し比較する回路など複雑な構成からなる装置であるため、ラベルなどに応用するには困難があった。
以上の様に、簡便に時間を測定する軽量、薄型の計時シートを実現する技術は従来存在しなかった。
【０００３】
【特許文献１】
特開平４−２７８８０号公報
【特許文献２】
特開２０００−３３８２７５号公報
【特許文献３】
特開２００１−２２１８７２号公報
【０００４】
【発明が解決しようとする課題】
本発明が解決しようとする課題は、上記の様に従来は困難であった簡便に時間を測定する軽量、薄型の計時シートを提供することにある。
【０００５】
【課題を解決するための手段】
本発明は下記各態様を含む。
即ち、
［１］少なくとも蓄電量を調整できる蓄電部と、計時時間を表示する表示部とを具備する計時シート。
［２］蓄電部がコンデンサである［１］記載の計時シート。
［３］蓄電部が電気二重層コンデンサである［２］記載の計時シート。
［４］表示部が液晶を用いた表示部である［１］〜［３］のいずれかに記載の計時シート。
［５］［１］〜［４］のいずれかに記載の計時シートの少なくとも片面に粘着層を備えた計時シート。
［６］シートの厚さが０．１〜５ｍｍである請求項１〜５のいずれかに記載の計時シート。
［７］蓄電部に部分的な充電を行うことで、任意の範囲の時間を測定することができる［６］記載の計時シート。
【０００６】
【発明の実施の形態】
本発明の蓄電部は電荷を蓄積できるデバイスであれば特にその種類を限定するものではない。即ち、各種の電池や蓄電器（コンデンサ）を使用することができる。
電池は、一次電池、二次電池のいずれをも使用することができるが、薄いシート状の形状にする必要があるために、液体電解質（電解液）を大量に含む電池よりも、固体電解質を用いた電池、ないし電解液の量が少ない電池が望ましい。この様な電池の例としてはアルカリマンガン電池やリチウムイオンポリマー電池などがある。このような電池をシート状に作製する方法は公知である。
【０００７】
本発明に用いるコンデンサは特にその種類を限定するものではないが、長い時間の測定に適し、かつ薄いシート状に加工できるコンデンサはその容積あたりの蓄電量が比較的大きいものが望ましい。このようなコンデンサの例としては電気二重層コンデンサ（電気二重層キャパシタ、電気二重層コンデンサ、スーパーキャパシタ）がある。好ましい容積あたりの静電容量としては、１．０ｘ１０−３〜１．０ｘ１０１  Ｆ／ｃｍ３があげられる。容積あたりの静電容量が１．０ｘ１０−３Ｆ／ｃｍ３より小さいと計時可能な時間が著しく短くなり、実用に適さなくなる。また、容積あたりの静電容量が１．０ｘ１０１Ｆ／ｃｍ３より大きい電気二重層コンデンサは作製に困難が伴う。電気二重層コンデンサをシート状に作製する方法は公知である。
【０００８】
本発明の表示デバイスは電圧を印加することで表示が可能なものであればその種類を問わないが、上記の蓄電部と組み合わせて比較的長い時間の測定に用いるためには消費電流値が小さいものが好ましい。即ち、消費電流値は、１．０〜１０００マイクロアンペア／時のものが好ましい。作動電圧は好ましくは０．１〜１０Ｖ、さらに好ましくは０．５〜５Ｖである。電圧を印加することで表示が現れるデバイス、あるいは電圧を印加することで表示が消えるデバイスのいずれであっても本発明に使用することができる。
【０００９】
消費電流値が小さい表示デバイスとしては、液晶やエレクトロクロミック材料、エレクトロルミネッセンス材料などを用いたものや発光ダイオードなどがあるが、本発明の目的に特に好適なものは液晶を用いた表示デバイスである。透明電極により液晶材料を挟んだ液晶表示デバイスは様々な方式のものが公知である。透明電極はガラスやプラスチックフィルム上に蒸着など公知の方法で形成することができる。
【００１０】
上記の蓄電デバイスと、表示デバイスは適宜電気的に配線を行い、蓄電デバイスの電圧が表示デバイスに印加され、蓄電デバイスに蓄えられた電荷が表示デバイスに消費されて時間と共に減少するようにする。この時の蓄電デバイスに蓄えられた電荷の量と、表示部の消費電流値の組み合わせにより、任意の時間を測定することが可能になる。表示部の消費電流値を調整するために、付加的な放電抵抗を、表示デバイスに並列もしくは直列に挿入することも差し支えない。
【００１１】
蓄電部と表示部に加えて、電圧を調整するデバイスや、直流を交流に変換するデバイス、その他計時シートの機能を向上させる付加的なデバイスを設けることも差し支えない。
本発明の計時シートは蓄電部と表示部以外に、基材としてフィルムや紙を含んでいることも差し支えない。また、本シートを対象物に固定するために、シートの片面もしくは両面に粘着層や接着層を設けることも差し支えない。基材や蓄電部、表示部に印刷などの方法で表示を行うことも可能である。
本発明の計時シートは、蓄電部に対してその最大容量まで充電（満充電）を行い、蓄電部の最大容量を放電することで時間を測定することが可能である。また、蓄電部に対してあえてその最大容量まで充電を行わず（部分充電）、測定する時間を調整することが可能である。充電量の調整は、充電電圧もしくは充電時間を調整することで行うことができる。
【００１２】
【実施例】
以下に、本発明を実施例により詳説するが、本発明は以下の実施例により限定されるものではない。
実施例１
本発明の一実施態様について図１により説明する。
３０ミリ角の金属板１の片面に粉末活性炭２をバインダーと共に塗布して電極２枚を作製し、これを多孔性フィルム３（セパレータ）を介して、活性炭を塗布した面が相対するように積層し、希硫酸を電極層とセパレータにしみ込ませて電気二重層コンデンサを作製した。
このコンデンサの上に液晶層４を塗布し、スぺーサーを介してその上にガラス基板の透明電極５を乗せた。透明電極と電気二重層コンデンサの金属板の間は金属箔で配線した。
電気二重層コンデンサの金属板には粘着層６を塗布し、対象物への接着を可能にした。
この計時シートの厚さは１．５ｍｍであった。
この電気二重層コンデンサの電極間に５Ｖの直流電圧を３００秒間印加したところ、表示部に表示が現れ、３時間経った後、表示が消えた。
【００１３】
実施例２
実施例１で作製した計時シートの電気二重層コンデンサの電極間に５Ｖの直流電圧を３０秒間印加したところ、表示部に表示が現れ、１時間経った後、表示が消えた。
【００１４】
【発明の効果】
本発明の方法によれば、従来は困難であった簡便に時間を測定する軽量、薄型の計時シートが得られ、充電量の調整により任意の範囲の時間を計時することが可能になる。
【図面の簡単な説明】
【図１】本発明の計時シートの断面図を示す。
【符号の説明】
１：金属板
２：電極
３：多孔性フィルム
４：液晶層
５：透明電極
６：粘着層
【図１】
2004325362.tif 000002